(57)【要約】【課題】障害箇所の特定を簡便に行う。【解決手段】監視装置は、隣接する通信装置１１，１２に監視情報を送る。通信装置１１の同期部２０は、監視情報に基づいてフレーム統計情報を収集するタイミングに関する第１の同期情報を生成する。第１集計部３３は、通信装置１２に繋がるポートを監視して、通信装置１２に送信するフレームについての第１の統計情報を第１の同期情報に基づいて収集する。生成部３９は、第１の同期情報と第１の統計情報を含む統計フレームを生成して通信装置１２に送信する。通信装置１２の検出部３５は統計フレームを受信する。第２収集部３６は、通信装置１１に繋がるポートを監視して、通信装置１１から受信するフレームについての第２の統計情報を自己の同期情報に基づいて収集する。比較部３７は、同期情報に対応する第１及び第２の統計情報の互いを比較し、出力部３８ａは比較した結果に基づいて異常の情報を出力する。【選択図】図３
2014150485.tif 000002
【特許請求の範囲】
【請求項１】
第１の通信装置及び第２の通信装置を有し、前記第１の通信装置の第１の物理ポート、及び前記第２の通信装置の第２の物理ポートとの間でフレームを互いに伝送する通信システムにおいて、
前記第１の通信装置は、
前記第２の通信装置がフレームの数を示す統計情報を収集するタイミングに関する情報が含まれる第１の同期情報を取得する第１の同期手段と、
前記第２の通信装置に送信するフレームについての第１の統計情報を、前記第１の同期情報に基づいて、前記第１の物理ポート、又は前記第１の物理ポートに対応付けられている論理ポートのうちの少なくとも一方から収集する第１の収集手段と、
前記第１の収集手段で収集した第１の統計情報と前記第１の同期手段で取得した第１の同期情報とを含むフレームである統計フレームを前記第２の通信装置に送信する送信手段と、を備え、
前記第２の通信装置は、
前記第１の通信装置がフレームの数を示す統計情報を収集するタイミングに関する情報が含まれる第２の同期情報を取得する第２の同期手段と、
前記第１の通信装置から受信するフレームについての第２の統計情報を、前記第２の同期情報に基づいて、前記第２の物理ポート、及び前記第２の物理ポートに対応付けられている論理ポートのうちの少なくとも一方から収集する第２の収集手段と、
前記統計フレームを受信する受信手段と、
前記第１及び第２の同期情報に対応する前記第１及び前記第２の統計情報を互いに比較する比較手段と、
前記第１及び前記第２の統計情報との互いが一致しない場合に異常の情報を出力する出力手段と、
を備えていることを特徴とする通信システム。
【請求項２】
請求項１に記載の通信システムにおいて、
前記第１の通信装置、及び前記２の通信装置は、計時手段をそれぞれ備え、
前記第１通信装置、及び前記２の通信装置に有する前記計時手段の時刻を互いに同期させるための時刻情報を、前記第１及び前記２の通信装置にそれぞれ送る監視手段を備え、
前記第１及び第２の同期手段は、前記監視手段から監視指令の情報を受けて、前記計時手段が示す時刻に基づいて、前記第１及び前記第２の統計情報との収集を開始する開始時刻を示す情報、及び前記第１及び前記第２の統計情報とを収集する期間を示す情報を生成する、
ことを特徴とする通信システム。
【請求項３】
同じタイミングで収集される送信フレームと受信フレームとの数を示す一対の統計情報の比較に基づいて障害箇所を特定する機能を有する、隣接する通信装置が物理ポートを通して接続される通信装置において、
前記隣接する通信装置が前記統計情報を収集するタイミングに関する情報が含まれる同期情報を取得する同期手段と、
前記隣接する通信装置に送信するフレームについての前記一対の統計情報のうちの一方の統計情報を、前記同期情報に基づいて、前記第１の物理ポート、又は前記第１の物理ポートに対応付けられている論理ポートのうちの少なくとも一方から収集する収集手段と、
前記収集手段で収集した前記統計情報と前記同期手段で取得した同期情報とを含むフレームである統計フレームを前記隣接する通信装置に送信する送信手段と、
を備えていることを特徴とする通信装置。
【請求項４】
隣接する通信装置から自分宛に送信されるフレームの数を示す第１の統計情報と、その第１の統計情報を収集するタイミングに関する情報が含まれる第１の同期情報とを含むフレームである統計フレームを受ける通信装置において、
前記隣接する通信装置がフレームの数を示す統計情報を収集するタイミングに関する情報が含まれる第２の同期情報を取得する第２の同期手段と、
前記隣接する通信装置から受信するフレームについての第２の統計情報を、前記第２の同期情報に基づいて、前記第２の物理ポート、及び前記第２の物理ポートに対応付けられている論理ポートのうちの少なくとも一方から収集する第２の収集手段と、
前記統計フレームを受信する受信手段と、
前記第１及び第２の同期情報に対応する前記第１及び前記第２の統計情報を互いに比較する比較手段と、
前記第１及び前記第２の統計情報との互いが一致しない場合に異常の情報を出力する出力手段と、
を備えていることを特徴とする通信装置。
【請求項５】
第１の通信装置の第１の物理ポート、及び第２の通信装置の第２の物理ポートとの間で伝送されるフレームの数を示す統計情報を監視して異常を検出する異常検出方法において、
前記第１の通信装置は、
前記第２の通信装置が前記統計情報を収集するタイミングに関する情報を含む第１の同期情報を取得して、取得した前記第１の同期情報に基づいて、前記第２の通信装置に送信するフレームについての第１の統計情報を、前記第１の物理ポート、又は前記第１の物理ポートに対応付けられている論理ポートのうちの少なくとも一方から収集し、収集した前記第１の統計情報と前記第１の同期情報とを含むフレームである統計フレームを前記第２の通信装置に送信すること、
前記第２の通信装置は、
前記第１の通信装置がフレームの数を示す統計情報を収集するタイミングに関する情報を含む第２の同期情報を取得して、取得した第２の同期手段に基づいて、前記第１の通信装置から受信するフレームについての第２の統計情報を、前記第２の物理ポート、及び前記第２の物理ポートに対応付けられている論理ポートのうちの少なくとも一方から収集するとともに、前記統計フレームを受信して、前記第１及び第２の同期情報に対応する前記第１及び前記第２の統計情報が互いに一致しない場合に異常を出力すること、
を含むことを特徴とする異常検出方法。
【発明の詳細な説明】
【技術分野】
【０００１】
本発明は、通信装置、通信システム、及び異常検出方法に関する。
【背景技術】
【０００２】
従来、複数の通信装置が接続されるネットワーク上で発生するエラーとして検知されない障害を監視する監視装置が知られている（例えば、特許文献１参照）。この監視装置は、特定の通信装置を起点に各通信装置間に、ネットワークの状態を監視するための監視フレームを送信し、応答がない通信装置を探索することで障害箇所を特定している。監視フレームとしては、例えば、EtherOAM（operations administration maintenance）やIP Pingが知られている。
【先行技術文献】
【特許文献】
【０００３】
【特許文献１】特開２０１２−１２４６４０号公報
【発明の概要】
【発明が解決しようとする課題】
【０００４】
通信装置には、主信号であるデータフレームが流れる経路と、通信装置間で送信、又は終端される監視フレームが流れる経路とが異なる部分がある。したがって、物理層とデータリンク層との間で、監視フレームは疎通するがデータフレームが疎通しない、又はデータフレームは疎通するが監視フレームが疎通しない、という不都合が生じるおそれがある。このようになると、通信装置のうちの障害箇所を特定するのが難しくなる。
【０００５】
本発明は、障害箇所を特定することができる通信装置、通信システム、及び異常検出方法を提供することを目的とする。
【課題を解決するための手段】
【０００６】
一つの観点による通信システムは、第１の通信装置及び第２の通信装置を有し第１の通信装置の第１の物理ポート及び第２の通信装置の第２の物理ポートとの間でフレームを互いに伝送する通信システムにおいて、第１の通信装置は、第２の通信装置がフレームの数を示す統計情報を収集するタイミングに関する情報が含まれる第１の同期情報を取得する第１の同期手段と、第２の通信装置に送信するフレームについての第１の統計情報を第１の同期情報に基づいて第１の物理ポート又は第１の物理ポートに対応付けられている論理ポートのうちの少なくとも一方から収集する第１の収集手段と、第１の収集手段で収集した第１の統計情報と第１の同期手段で取得した第１の同期情報とを含むフレームである統計フレームを第２の通信装置に送信する送信手段と、を備え、また、第２の通信装置は、第１の通信装置がフレームの数を示す統計情報を収集するタイミングに関する情報が含まれる第２の同期情報を取得する第２の同期手段と、第１の通信装置から受信するフレームについての第２の統計情報を第２の同期情報に基づいて第２の物理ポート及び第２の物理ポートに対応付けられている論理ポートのうちの少なくとも一方から収集する第２の収集手段と、統計フレームを受信する受信手段と、第１及び第２の同期情報に対応する第１及び第２の統計情報を互いに比較する比較手段と、第１及び第２の統計情報との互いが一致しない場合に異常の情報を出力する出力手段と、を備えている。
【発明の効果】
【０００７】
本件開示の通信システムでは、隣接する通信装置から自分宛の送信フレームの統計情報と統計情報を収集するタイミングに関する情報が含まれる同期情報とを受ける。これにより、受けた情報と自身の通信装置で収集する受信フレームの統計情報とを互いの同期情報に基づいて比較することで、障害箇所を特定することができる。
【図面の簡単な説明】
【０００８】
【図１】本発明の一態様を示す通信システムの例を示す説明図である。
【図２】図１に示した通信装置の例を示すブロック図である。
【図３】図１に示した隣接する一対の通信装置の例を示すブロック図である。
【図４】図３に示した通信装置の一方の動作手順を示すフローチャートである。
【図５】図３に示した通信装置の他方の動作手順を示すフローチャートである。
【図６】シーケンス番号を付与したフレームを送信する通信装置の別の実施形態の動作手順を示すフローチャートである。
【図７】シーケンス番号を付与したフレームを受信する通信装置の別の実施形態の動作手順を示すフローチャートである。
【発明を実施するための形態】
【０００９】
図１は、本発明の一実施形態を示す通信システム１０の例を示す。通信システム１０は、ＩＰ(Internet Protocol)により接続される複数の通信装置１１，１２，１３，１４，１５，１６，１７、通信装置１１〜１７を接続するネットワーク１８、及び監視装置１９を含む。ネットワーク１８の形態は、例えばスター型、リング型、及びメッシュ型等のうちのいずれかを含む。通信装置１５，１６，１７は、複数のコンピュータ（ＰＣ）を含む。通信装置１１，１２，１３，１４は、複数の通信装置１５〜１７を接続するデータ伝送路の分岐点に配置されている。通信装置１１〜１４としては、データ（以下、「フレーム」と称す。）が伝送される時に、そのフレームの伝送経路を制御する、ルータやスイッチングハブ等の装置を含む。フレームは、データを伝送する単位を示す。
【００１０】
なお、通信装置１１〜１７は、イーサネット(Ethernet)（イーサネットは、登録商標）のネットワークで使用するフレームの代わりに、ＩＰで使用するパケットやＡＴＭ（automated teller machine）パケットを送受信してもよい。以下の説明では、フレームとパケットは同義としてフレームと呼ぶ。
【００１１】
監視装置１９は、各通信装置１１〜１７に対してネットワーク１８とは異なる経路で個別に接続されており、各通信装置１１〜１７の時刻を同期させるための時刻情報を各通信装置１１〜１７に定期的に送る。時刻情報は、世界標準、又は日本標準の時刻に関する情報を含む。
【００１２】
監視装置１９は、監視を指令するための監視情報を監視対象の通信装置１１〜１７に同じタイミングで送る。監視情報は、管理者が手動操作を行う時、又は定期的に送られる。監視情報には、隣接する通信装置（例えば、１１と１２）で、単位時間当たりに送受信されるフレームの数を計数した統計情報を収集するためのタイミング情報を含む。
各通信装置１１〜１７は、隣接する通信装置から送信されるフレームを受信し、受信したフレームに格納されたアドレス情報を基に、受信フレームの転送処理を行う。
【００１３】
なお、監視装置１９と各通信装置１１〜１７とは、無線によって接続されていてもよい。また、監視装置１９は、ＮＴＰ（Network Time Protocol）プロトコル等を利用して各通信装置１１〜１７の時刻を同期させてもよい。この場合、監視装置１９は、ネットワークに接続される。また、監視装置１９、及び各通信装置１１〜１７は、ＧＰＳ（Global Positioning System）を利用して時刻を同期させてもよい。
【００１４】
図２は、図１で説明した通信装置１１の例を示す。なお、図１に示した通信装置１２〜１７は、図２に示した通信装置１１と同一、又は同様の構成を有する。
【００１５】
通信装置１１は、図２において、同期部２０、複数の物理ポート２１−１，２１−２，・・・，２１−ｎ（ｎは正の整数）、監視部２２、判断部２３、及び計時部２６を含む。各物理ポート２１−１〜２１−ｎは、隣接する通信装置１２，１４（図１参照）を個別に接続するための物理インターフェスである。物理ポート２１−１には、フレームを送信する論理送信ポート２４−１〜２４−ｎ（ｎは正の整数）と、フレームを受信する論理受信ポート２５−１〜２５−ｎ（ｎは正の整数）が割り当てられている。なお、複数の物理ポート２１−１〜２１−ｎは、インターフェースカード２７に有されている。
【００１６】
同期部２０は、図１に示した監視装置１９に接続されており、監視装置１９から監視情報や時刻情報を取得する。同期部２０は、時刻情報に基づいて、計時部２６の時刻を監視装置１９の時刻に同期させる。また、同期部２０は、監視情報を受けて、その時点の計時部２６が示す時刻に基づいて、隣接の通信装置１２に送信するフレームについての統計情報の収集を開始するための開始時刻、及び収集期間の情報を第１の同期情報として生成する。同期部２０は、第１の同期手段の一例である。
【００１７】
なお、監視装置１９の監視情報は、統計情報の収集を開始する予約時刻の情報を含んでもよい。この場合、同期部２０は、計時部２６が予約時刻を計時した時点で第１の同期情報を生成してもよい。また、同期部２０は、収集期間の情報の代わりに、収集を終了する時刻の情報を生成してもよい。さらに、同期部２０は、統計情報を収集する周期に関する情報を第１の同期情報に含めてもよい。この周期に関する情報は、各通信装置１１〜１７に有した記憶部に予め記憶されてもよい。
【００１８】
監視部２２は、第１収集部３３、生成部３４、検出部３５、第２収集部３６、比較部３７、及び出力部３８−１，３８−２，・・・，３８−ｎ（ｎは正の整数）を含む。なお、監視部２２は、他の物理ポート２１−２〜２１−ｎにもそれぞれ接続されているが、図２では、図面の煩雑化を防ぐために、物理ポート２１−１に対応する監視部２２が示されている。
【００１９】
同期部２０は、第１の同期情報を第１収集部３３、生成部３４、及び第２収集部３６にそれぞれ送る。第１収集部３３は、隣接の通信装置１２に送信するフレームについての統計情報を第１の統計情報として収集する。第１収集部３３による収集は、第１の同期情報に基づいて、隣接の通信装置１２が接続される物理ポート２１−１、及びその物理ポート２１−１に対応付けられている論理送信ポート２４−１〜２４−ｎ，３９毎に行われる。第１収集部３３は、第１の統計情報を生成部３４に送る。なお、第１収集部３３は、第１の収集手段の一例である。
【００２０】
生成部３４は、論理送信ポート３９に接続されている。論理送信ポート３９は、物理ポート２１−１に対応付けされている論理送信ポート２４−１〜２４−ｎとは別に割り当てられている。生成部３４は、第１の同期情報と第１の統計情報とを含むフレームである統計フレームを生成する。そして、生成部３４は、生成した統計フレームを、論理送信ポート３９、及び物理ポート２１−１を介して隣接の通信装置１２に送信する。なお、生成部３４は、送信手段の一例である。また、第１の統計情報としては、送信されるフレームの数の情報の他に、送信バイトの数、及び廃棄される送信フレームの数等の情報を含む。
【００２１】
検出部３５、第２収集部３６、比較部３７、出力部３８−１〜３８−ｎ、及び判断部２３は、物理ポート２１−１に接続される隣接の通信装置１２から受ける自分宛の送信フレームの統計情報に基づいて異常を示す情報を出力する。
【００２２】
隣接の通信装置１２の同期部２０は、監視装置１９から監視情報を受ける。同期部２０は、監視情報を受けて、その時点の計時部２６が示す時刻の情報に基づいて、受信するフレームについての統計情報を開始するための開始時刻、及び収集期間の情報を第２の同期情報として生成する。そして、同期部２０は、生成した第２の同期情報を第２収集部３６、及び比較部３７に送る。なお、隣接の通信装置１２の同期部２０は、第２の同期手段の一例である。
【００２３】
なお、監視装置１９の監視情報は、統計情報の収集を開始する予約時刻の情報を含んでもよい。この場合、隣接の通信装置１２の同期部２０は、計時部２６が予約時刻を計時した時点で第２の同期情報を生成してもよい。また、隣接の通信装置１２の同期部２０は、収集期間の情報の代わりに、収集を終了する時刻の情報を生成してもよい。さらに、隣接の通信装置１２の同期部２０は、統計情報を収集する周期の情報を第２の同期情報に含めてもよい。この周期の情報は、各通信装置１１〜１７に有した記憶部に予め記憶されてもよい。
【００２４】
検出部３５は、論理受信ポート４０に接続されている。論理受信ポート４０は、物理ポート２１−１に対応付けされている論理受信ポート２５とは別に割り当てられている。検出部３５は、論理受信ポート４０を介して隣接の通信装置１１から送られてくる統計フレームを検出して受信する。そして、検出部３５は、受信した統計フレームから第１の同期情報と第１の統計情報とを抽出し、抽出した第１の同期情報と第１の統計情報とを比較部３７に送る。なお、隣接の通信装置１２の検出部３５は、受信手段の一例である。
【００２５】
第２収集部３６は、通信装置１１から受信するフレームについての第２の統計情報を第２の同期情報に基づいて収集する。第２収集部３６による収集は、物理ポート２１−１、及びその物理ポート２１−１に対応付けられている論理受信ポート２５，４０毎に行う。第２収集部３６は、第２の統計情報を比較部３７に送る。なお、隣接の通信装置１２の第２収集部３６は、第２の収集手段の一例である。第２の統計情報としては、受信するフレームの数の他に、受信バイトの数、及び廃棄される受信フレームの数等を含む。
【００２６】
比較部３７は、第１及び第２の同期情報に対応する第１及び第２の統計情報を互いに比較し、比較した結果の情報を出力部３８−１に送る。出力部３８−１は、比較した結果の情報に基づいて異常か否かを判断して、異常と判断した場合には異常の情報を判断部２３に出力する。
【００２７】
異常の情報は、以下に説明する２つの情報を含む。一つ目は、第１の統計情報のうち通信装置１１の物理ポート２１−１で収集した統計情報と、第２の統計情報のうち通信装置１２の物理ポート２１−１で収集した統計情報とを比較した結果の情報である。二つ目は、第１の統計情報のうち通信装置１１の論理送信ポート２４−１〜２４−ｎ，３９毎に収集した統計情報と、第２の統計情報のうち通信装置１２の論理受信ポート２５−１〜２５−ｎ，４０毎に収集した統計情報とを比較した結果の情報である。
【００２８】
判断部２３は、物理ポート２１−１〜２１−ｎ毎に有した出力部３８−１，３８−２，・・・，３８−ｎから出力される異常の情報に基づいて障害箇所を判断する。出力部３８−１は、出力手段の一例である。
【００２９】
なお、第１収集部３３は、通信装置１１の物理ポート２１−１〜２１−ｎの単位、又は論理送信ポート２４−１〜２４−ｎ，３９の単位のいずれか一方の単位で収集してもよい。この場合には、隣接の通信装置１２の第２収集部３６は、第１収集部３３が収集する単位に合わせて収集する。そして、通信装置１２の判断部２３は、第１及び第２収集部３３，３６で収集した統計情報の互いを比較した結果に基づいて障害箇所を判断してもよい。
【００３０】
図３は、図１に示した通信システム１０において、障害を監視する対象を、例えば通信装置１１から隣接の通信装置１２にフレームを送る経路に設定した例を示す。図３において、監視装置１９は、監視情報を、例えば通信装置１１と隣接の通信装置１２との同期部２０にそれぞれ送る。
【００３１】
図４は、第１の統計情報を収集、及び送信する通信装置の動作手順を示す。第１の統計情報を収集、及び送信する通信装置を、以下では通信装置１１として説明する。
【００３２】
（ステップＳ１）通信装置１１の同期部２０は、監視装置１９から送られる監視情報を取得する。同期部２０は、監視情報を受けると、計時部２６が有する時刻の情報に基づいて、開始時刻、及び収集期間の情報を含む第１の同期情報を生成する。そして、同期部２０は、生成した第１の同期情報を、図３に示した第１収集部３３、及び生成部３４にそれぞれ送る。
【００３３】
（ステップＳ２）第１収集部３３は、第１の同期情報に基づいて、図３で説明した物理ポート２１−１を監視して、論理送信ポート２４−１〜２４−ｎ，３９から送信されるフレームの数を収集する。また、第１収集部３３は、第１の同期情報に基づいて、物理ポート２１−１に対応付けられている論理送信ポート２４−１〜２４−ｎ，３９を監視して、送信されるフレームの数を論理送信ポート２４−１〜２４−ｎ，３９毎に収集する。そして、第１収集部３３は、それぞれ収集したフレームの数の情報を第１の統計情報として生成部３４に送る。
【００３４】
（ステップＳ３）生成部３４は、第１の同期情報と第１の統計情報とを含むフレームである統計フレームを生成し、生成した統計フレームを、図３で説明した論理送信ポート３９、及び物理ポート２１ａを経由して隣接の通信装置１２に送信する。
【００３５】
図５は、統計フレームを受ける隣接する通信装置の動作手順を示す。一例として、以下では通信装置１２について説明する。
【００３６】
（ステップＳ４）隣接の通信装置１２の同期部２０は、図３に示した監視装置１９から取得した監視情報を受けると、計時部２６が示す時刻の情報に基づいて、第２の同期情報を作成する。第２の同期情報は、通信装置１１から受信するフレームの数の収集を開始する開始時刻、及び収集期間の情報を含む。通信装置１１，１２の計時部２６は、監視装置１９から送信される時刻情報により時刻が同期している。隣接の通信装置１２の同期部２０は、第２の同期情報を第２収集部３６、及び比較部３７に送る。
【００３７】
（ステップＳ５）第２収集部３６は、第２の同期情報に基づいて、物理ポート２１−１、及びその物理ポート２１−１に対応付けられている論理受信ポート２５，４０を監視して、通信装置１１から受信するフレームの数を収集する。そして、第２収集部３６は、収集した受信フレームの数を第２の統計情報として比較部３７に送る。
【００３８】
（ステップＳ６）隣接の通信装置１２の検出部３５は、図３に示した物理ポート２１−１を介して通信装置１１から送られてくる統計フレームを検出して、検出した統計フレームを、論理受信ポート４０を通して受信する。
【００３９】
(ステップＳ７)検出部３５は、受信した統計フレームから第１の同期情報、及び第１の統計情報をそれぞれ抽出する。そして、検出部３５は、第１の同期情報を第１の統計情報に対応付けし、第１の同期情報を対応付けした第１の統計情報を比較部３７に送る。
（ステップＳ８）比較部３７は、第１及び第２の同期情報に対応する第１及び第２の統計情報を互いに比較し、比較した結果の情報を出力部３８−１に送る。
【００４０】
（ステップＳ９）出力部３８−１は、比較した結果が一致する場合は「異常なし」の情報を、また一致しない場合には、異常の内容の情報を出力する。異常の内容の情報は、通信装置１１の物理ポート２１−１〜２１−ｎで収集した統計情報と通信装置１２の物理ポート２１−１〜２１−ｎで収集した統計情報とを比較して一致しないポートの情報を含む。また、異常の内容の情報は、通信装置１１の論理送信ポート２４−１〜２４−ｎ，３９毎に収集した統計情報と、通信装置１２の論理受信ポート２５−１〜２５−ｎ，４０毎に収集した統計情報とポート毎に比較して得られる一致しないポートの情報を含む。
【００４１】
なお、出力部３８−１は、送信側と受信側とでフレームの数の収集に誤差等があるため、一致と見なす度合い（一致度）に許容幅を持たせてもよい。例えば、出力部３８−１は、第１の統計情報と第２の統計情報とが一致する割合が、完全に一致する割合に対して６〜７割程度、望ましくは８割程度で「異常なし」として判断してもよい。
【００４２】
（ステップＳ１０）出力部３８−２〜３８−ｎは、通信装置１１以外の隣接する通信装置１３，１５〜１７（図１参照）が接続される物理ポートを監視する監視部がゆする比較部から、第１及び第２の統計情報の互いを比較した結果の情報をそれぞれ受けている。
【００４３】
（ステップＳ１１）隣接の通信装置１２の判断部２３は、図３で説明した複数の物理ポート２１−１〜２１−ｎに設けた出力部３８−１〜３８−ｎから、「異常なし」の情報、あるいは異常の内容の情報をそれぞれ受ける。通信装置１２の判断部２３は、各出力部３８−１〜３８−ｎから得られる「異常なし」の情報、あるいは異常の内容の情報に基づいて障害箇所を特定する。
【００４４】
（ステップＳ１２）判断部２３は、異常の内容の情報に基づいて、複数の物理ポート２１−１〜２１−ｎで異常があると判断する場合、いずれかの物理ポート２１−１〜２１−ｎを含むインターフェースカード２７（図２参照）の障害であると特定する。
（ステップＳ１３）判断部２３は、異常の内容の情報に基づいて、複数の物理ポート２１−１〜２１−ｎで異常がないと判断する場合、単一の物理ポートでの異常であるかを判断する。
【００４５】
（ステップＳ１４）判断部２３は、異常の内容の情報に基づいて、単一の物理ポートで異常があると判断する場合、その物理ポートに障害があると特定する。
（ステップ１５）判断部２３は、通信装置１１の論理送信ポート２４−１〜２４−ｎ，３９、及び隣接の通信装置１２の論理受信ポート２５−１〜２５−ｎ，４０（図３参照）のポート単位で比較する。そして、判断部２３は、一致しないポートがあると判断する場合、論理送信ポート２４−１〜２４−ｎ，３９、及び論理受信ポート２５−１〜２５−ｎ，４０に障害があると特定する。
【００４６】
なお、生成部３４は、ネットワークの状態を監視するための監視フレームのうちのヘッダやトレーラ等の付加情報を除いたデータ本体であるペイロードに、統計フレームの情報を埋め込んで監視フレームとして送出してもよい。この場合には、監視フレームによるネットワークの状態の監視と、本実施形態である統計フレームに基づく障害の監視とを同時に行える。
また、複数の通信装置１１〜１７の間で時刻の同期が保証されない場合には、同期情報としてフレームの順番を示すシーケンス番号を付与したフレームに基づいて障害を検出してもよい。
【００４７】
図６は、シーケンス番号を付与したフレームを送信する通信装置の別の実施形態の動作手順を示す。なお、図６で説明する通信装置は、図２に示した通信装置１１と同一、又は同様の構成を有する。
【００４８】
（ステップＳ１６）図６において、通信装置１１の同期部２０は、監視装置１９から監視のタイミング情報を含む監視情報を取得する。監視情報には、監視を開始する時刻（開始時刻）、及び監視の期間（監視期間）との情報を含む。なお、監視期間は、一定の期間を含む。
【００４９】
（ステップＳ１７）通信装置１１の生成部３４は、開始時刻の情報に応答してシーケンス番号を付与したフレームを生成し、生成した複数のフレームを、論理送信ポート３９及び物理ポート２１−１を介して隣接の通信装置１２に、監視期間に基づいて送信する。
【００５０】
（ステップＳ１８）第１収集部３３は、論理送信ポート３９、又は物理ポート２１−１を監視し、送信されるシーケンス番号を付与したフレームについての統計情報を第３の統計情報として収集する。第３の統計情報は、第１収集部３３から生成部３４に送られる。
【００５１】
（ステップＳ１９）生成部３４は、第３の統計情報を含むフレームである統計フレームを生成して、統計フレームを論理送信ポート３９、物理ポート２１−１を介して隣接の通信装置１２に送る。
【００５２】
図７は、シーケンス番号を付与したフレームを受信する通信装置の別の実施形態の動作手順を示す。なお、図７で説明する通信装置は、図２に示した通信装置１２と同一、又は同様の構成を有する。
【００５３】
（ステップＳ２０）図７において、隣接の通信装置１２の第２収集部３６は、物理ポート２１−１、及び論理受信ポート４０を監視している。そして、第２収集部３６は、通信装置１１から受信するシーケンス番号が付与されたフレームについての統計情報を第４の統計情報として収集して、収集した第４の統計情報を比較部３７に送る。
【００５４】
（ステップＳ２１）隣接の通信装置１２の検出部３５は、通信装置１１から送出される統計フレームを受信する。
（ステップＳ２２）検出部３５は、受信した統計フレームから第３の統計情報を抽出して、抽出した第３の統計情報を比較部３７に送る。
【００５５】
（ステップＳ２３）また、検出部３５は、シーケンス番号が付与されるフレームを受信して、シーケンス番号を抽出し、抽出したシーケンス番号の情報を比較部３７に送る。
（ステップＳ２４）比較部３７は、第３及び第４の統計情報を互いに比較し、第３及び第４の統計情報の互いが一致するか否かを判断する。
【００５６】
（ステップＳ２５）比較部３７は、第３及び第４の統計情報の互いが一致する場合、フレームから抽出したシーケンス番号の順番に欠けがないか否かを判断する。
（ステップＳ２６）比較部３７は、第３及び第４の統計情報の互いが一致しない場合、異常の情報を出力部３８−１に出力する。また、比較部３７は、シーケンス番号の順番が欠けていると判断した場合に、異常の情報を出力部３８−１に出力する。
【００５７】
（ステップＳ２７）判断部２３は、図３で説明した複数の出力部３８−１〜３８−ｎから、「異常なし」の情報、あるいは異常の内容の情報をそれぞれ受けている。判断部２３は、各出力部３８−１〜３８−ｎから得られる「異常なし」の情報、あるいは異常の内容の情報に基づいて障害箇所を特定する。
【００５８】
（ステップＳ２８）判断部２３は、異常の内容の情報に基づいて、複数の物理ポート２１−１〜２１−ｎで異常があるか否かを判断する。
（ステップＳ２９）判断部２３は、複数の物理ポート２１−１〜２１−ｎで異常があると判断する場合、いずれかの物理ポート２１−１〜２１−ｎを含むインターフェースカード２７（図２参照）の障害であると特定する。
【００５９】
（ステップＳ３０）判断部２３は、複数の物理ポート２１−１〜２１−ｎで異常がないと判断する場合、通信装置１１，１２の物理ポート２１−１〜２１−ｎのうちの特定のポートが障害であると特定する。又は、判断部２３は、特定の物理ポート２１−１〜２１−ｎに対応付けされている論理ポート２４−１〜２４−ｎ，３９，２５−１〜２５−ｎ，４０のうちの特定のポートが障害であると特定する。
【００６０】
なお、論理ポートが多数あるような大規模な通信装置では、多数の論理ポートから収集した統計情報のすべてを含む統計フレームを一度に送信すると、物理ポート２１−１に設定される帯域のうちの主信号を通す帯域に影響を与える可能性がある。その場合、生成部３４は、送信する統計フレームを物理ポート２１―１の帯域に影響しないように分割し、分割した統計フレームのそれぞれを、時間をずらして（分散して）送信してもよい。この通信装置の実施形態によれば、物理ポートに設定される帯域に影響を与えることを防ぐことが可能となる。
【００６１】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００６２】
１０…通信システム；１１〜１７…通信装置；１８…ネットワーク；２０…同期部；２１−１〜２１−ｎ…物理ポート；２４−１〜２４−ｎ，３９…論理送信ポート；２５−１〜２５−ｎ，４０…論理受信ポート；２６…計時部；３３…第１収集部；３４…生成部；３５ｖ検出部；３６…第２収集部；３７…比較部；３８−１〜３８−ｎ…出力部
【図１】
2014150485.tif 000003
【図２】
2014150485.tif 000004
【図３】
2014150485.tif 000005
【図４】
2014150485.tif 000006
【図５】
2014150485.tif 000007
【図６】
2014150485.tif 000008
【図７】
2014150485.tif 000009